(57)【特許請求の範囲】
【請求項１】
湯沸器の背面における上下位置に夫々固着される上ブラケットと下ブラケットとからなり、前記上ブラケットには吊下用透孔若しくは切欠きが、前記下ブラケットにはビス挿通孔が夫々形成される湯沸器の壁取付具であって、
前記下ブラケットが、前記湯沸器の背面に固着される上板と、その上板の下方に延設され、上下方向へ長い透孔を備えた下板と、前記ビス挿通孔を有し、前記ビス挿通孔が前記透孔内に位置する範囲内において前記下板の前面を上下方向へスライド可能に設けられたスライド板とからなり、
前記スライド板をスライドさせることにより、前記上ブラケットによる吊り下げ位置から前記ビス挿通孔までの距離を調整可能としたことを特徴とする湯沸器の壁取付具。
【請求項２】
前記上板に、前記湯沸器の底面に当接する当接板を延設した請求項１に記載の湯沸器の壁取付具。
【請求項３】
上ブラケットに、吊下用透孔若しくは切欠きを上下の高さ違いに複数設けた請求項１又は２に記載の湯沸器の壁取付具。
【発明の詳細な説明】
【０００１】
【発明の属する技術分野】
本発明は、湯沸器を建物の壁に取り付ける際に使用される壁取付具に関する。
【０００２】
【従来の技術】
壁取付具は、湯沸器の背面における上下位置に夫々スポット溶接等によって固着される一対のブラケットからなり、上ブラケットに設けた吊下用透孔若しくは切欠きを壁面の取付ビス等に掛止し、下ブラケットに設けたビス挿通孔を利用して下ブラケットを壁面に螺着することで湯沸器の取り付けが可能となる。しかし、湯沸器が異なる機種に交換される場合等で上下ブラケットの取付ピッチが変化すると、取付ビスを打ち直す必要が生じて取付作業に手間がかかる。又、移動した箇所がタイル張り等壁面の状態によっては打ち直しができない場合もある。そこで、本件出願人は、特開平８−８２４４６号公報において、上ブラケットの吊下用透孔を上下の高さ違いに複数個設けると共に、下ブラケットのビス挿通孔も上下に複数個設けて、吊下用透孔とビス挿通孔との選択によって上下ブラケットの取付ピッチを選択可能とする壁取付具を提供している。
【０００３】
【発明が解決しようとする課題】
しかし、上記公報の壁取付具においても、選択できる取付ピッチは吊下用透孔やビス挿通孔の位置によって限定され、取付ピッチの調整までは行えないため、特に異なるメーカーの湯沸器から交換するような場合には対応できない場合が生じる。
【０００４】
そこで、請求項１に記載の発明は、上下ブラケットの取付ピッチの自由度をより大きくして、メーカーの異なる湯沸器からの交換であっても容易に取り付けできる湯沸器の壁取付具を提供することを目的としたものである。
【０００５】
【課題を解決するための手段】
上記目的を達成するために、請求項１に記載の発明は、下ブラケットが、湯沸器の背面に固着される上板と、その上板の下方に延設され、上下方向へ長い透孔を備えた下板と、ビス挿通孔を有し、ビス挿通孔が透孔内に位置する範囲内において下板の前面を上下方向へスライド可能に設けられたスライド板とからなり、スライド板をスライドさせることにより、上ブラケットによる吊り下げ位置からビス挿通孔までの距離を調整可能としたことを特徴とするものである。
請求項２に記載の発明は、請求項１に記載の目的に加えて、取付状態での湯沸器の安定を図るために、上板に、湯沸器の底面に当接する当接板を延設したものである。
請求項３に記載の発明は、請求項１又は２の目的に加えて、取付ピッチの自由度を一層大きくするために、上ブラケットに、吊下用透孔若しくは切欠きを上下の高さ違いに複数設けたものである。
【０００６】
【発明の実施の形態】
以下、本発明の実施の形態を図面に基づいて説明する。
図１は、本発明の壁取付具１の説明図で、上が上ブラケット２、下が下ブラケット３を夫々示し、左側には壁取付具１を取り付けた湯沸器３０の側面図を合わせて示している。まず上ブラケット２は、図２にも示すように、互いに平行となるように上下に折曲形成された上板４と下板５とを有する四角形状のプレートで、奥側に位置する上板４の中央には、鍵穴状の吊下用透孔６が穿設され、手前側に位置する下板５の中央には、奥側へ向けて凹設され、底面を上板４と同一面上に位置させる馬蹄形の凹部７と、その凹部７内で、下端がテーパ状に開口する逆Ｖ字状の切欠き８とが、吊下用透孔６と同一線上に形成されている。９，９は下板５の両側に形成されたビス止め孔、１０，１０は補強用のＶビードである。
【０００７】
次に、下ブラケット３は、図３にも示すように、上ブラケット２と逆に上板１１が手前、下板１２が奥となるように折曲形成される四角形状のプレートで、上板１１は、中央下端に四角形の当接板１３を９０°の角度で残す格好で上方へ折曲され、上板１１の左右にビス止め孔１４，１４が形成されている。１５，１５はＶビードである。又、下板１２には、長方形状の第１透孔１６，１６が縦向きで左右対称に夫々並設されると共に、第１透孔１６，１６の間に、第１透孔１６と略同じ長さで長円形の第２透孔１７が穿設されている。更に、下板１２の両サイドには、略側縁全長に亘って手前側にガイド片１８，１８が直角に折曲形成され、各ガイド片１８に、第１透孔１６より上下で僅かに短い寸法で長円形のガイド孔１９が夫々穿設されている。
【０００８】
一方、２０はスライド板で、下板１２の上下寸法の略３分の１の幅を有する帯状の板を、下板１２のガイド片１８，１８の間に遊嵌するように両サイドに折曲片２１，２１を夫々折曲形成したコ字状を呈し、各折曲片２１の中央外側へ突設させたボス２２を、両サイドでガイド片１８，１８のガイド孔１９，１９に夫々嵌入させることで、スライド板２０は、二点鎖線で示すように、ボス２２，２２がガイド孔１９，１９の上下端に当接する範囲（図３のＬ３）で上下へスライド可能に装着される。又、スライド板２０には、下板１２の第１透孔１６，１６と重なる位置で、第１透孔１６の幅と略同じ長さの第１ビス挿通孔２３，２３が、中央の第２透孔１７と重なる位置で、第２透孔１７と略同じ幅の第２ビス挿通孔２４が夫々穿設されて、スライド板２０がどの位置にあっても、第１，第２ビス挿通孔２３，２４が常に第１，第２透孔１６，１７内に位置するようになっている。
【０００９】
以上の如く構成された壁取付具１は、図１のように、湯沸器３０のバックカバー３１の上下へ夫々ビス止めで固着されるが、特に下ブラケット３では、当接板１３にバックカバー３１の底面が当接する状態で固着される。そして上下ブラケット２，３の固着後、壁側の図示しない取付ビスに上ブラケット２の吊下用透孔６又は切欠き８を掛止させると、湯沸器３０は上ブラケット２によって壁に吊下される。次に下ブラケット３は、スライド板２０の第１ビス挿通孔２３，２３又は第２ビス挿通孔２４を用いて壁に螺着すれば良いが、このスライド板２０は上下にスライド可能であるから、スライド板２０のスライド範囲で螺着位置を自由に決定することができる。即ち、上ブラケット２で吊下用透孔６に掛止させた場合は、スライド板２０が上限位置にある場合の取付ピッチＬ１に、スライド板２０のスライド範囲Ｌ３を加えた（Ｌ１＋Ｌ３）までの取付ピッチが選択でき、上ブラケット２で切欠き８に掛止させた場合は、スライド板２０が上限位置にある場合の取付ピッチＬ２に、スライド板２０のスライド範囲Ｌ３を加えた（Ｌ２＋Ｌ３）までの取付ピッチが選択できるのである。
【００１０】
このように、上記形態によれば、下ブラケット３において第１ビス挿通孔２３、第２ビス挿通孔２４を有するスライド板２０をスライド可能に設けて、上下ブラケット２，３の取付ピッチを調整可能としたことで、取付ピッチの自由度が大きくなり、同じメーカー間で異なる機種は勿論、メーカーの異なる湯沸器から交換する場合で湯沸器３０の長さが大きく変わるようなことがあっても、最初の取付ビスの位置を変更せずに新たな湯沸器３０を簡単に取り付けることができ、作業性が向上する。
又、下ブラケット３では、湯沸器３０のバックカバー３１への取付状態でその底面に当接する当接板１３が形成されているから、当接板１３が湯沸器３０の左右の傾き防止に働いて取付時の安定が図られる。
【００１１】
尚、下ブラケットの形状やスライド板の具体的なスライド構造等は、上記形態に限らず、例えばスライド板２０ではボス２２に代えて、下板１２のガイド孔１９越しにビスを折曲片２１に螺合させたりしても良いし、下ブラケット３では、第１ビス挿通孔２３と第２ビス挿通孔２４との何れか一方及びそれに対応する下板１２側の第１透孔１６と第２透孔１７との何れか一方をなくしても良い。
又、図４に示すように、下ブラケット３における下板１２のガイド片２５を内側へコ字状に折曲し、スライド板２０は折曲部分のない平板として、ガイド片２５，２５に両端を抱持させることでスライド可能とする構造も採用できる。この場合、スライド板２０の抜け止めとスライド範囲の決定用として下板１２にはボス２６等が必要となる。よって、スライド板２０をガイド片２５，２５間に嵌入させる場合は、若干手前にたわませてボス２６を乗り越えさせれば良い。尚、スライド板２０は、図１，４の何れの形態においても、下板１２の反対側の面に設けることもできる。
【００１２】
更に、上記形態では、上ブラケット２に吊下用透孔６と切欠き８とを設けて、上側の吊り下げ位置も選択可能としている。この構成により、吊下用透孔６と切欠き８との間隔で更に取付ピッチの自由度が広くなり、好ましい形態となるが、この吊下用透孔は上下方向で更に増やしたりできるし、上ブラケットによる自由度が不要であれば、逆に吊下用透孔と切欠きとの何れか一方をなくしても差し支えない。一方、当接板１３は、中央に１つに限らず、左右対称位置に複数設けることもできる。
【００１３】
【発明の効果】
請求項１に記載の発明によれば、下ブラケットが、湯沸器の背面に固着される上板と、その上板の下方に延設され、上下方向へ長い透孔を備えた下板と、ビス挿通孔を有し、ビス挿通孔が透孔内に位置する範囲内において下板の前面を上下方向へスライド可能に設けられたスライド板とからなり、スライド板をスライドさせることにより、上ブラケットによる吊り下げ位置からビス挿通孔までの距離を調整可能としたことで、取付ピッチの自由度が大きくなり、同じメーカー間で異なる機種は勿論、メーカーの異なる湯沸器から交換する場合で湯沸器の長さが大きく変わるようなことがあっても、最初の取付ビスの位置を変更せずに新たな湯沸器を簡単に取り付けることができ、作業性が向上する。
請求項２に記載の発明によれば、請求項１の効果に加えて、下ブラケットの上板に、湯沸器の底面に当接する当接板を延設したことで、取付状態での湯沸器の安定を図ることができる。
請求項３に記載の発明によれば、請求項１又は２の効果に加えて、上ブラケットに、吊下用透孔若しくは切欠きを上下の高さ違いに複数設けたことで、取付ピッチの自由度を一層大きくすることができる。
【図面の簡単な説明】
【図１】壁取付具及び壁取付具を湯沸器へ取り付けた状態を示す説明図である。
【図２】（Ａ）上ブラケットの正面図である。
（Ｂ）上ブラケットの側面図である。
（Ｃ）上ブラケットの底面図である。
【図３】（Ａ）下ブラケットの正面図である。
（Ｂ）下ブラケットの側面図である。
（Ｃ）下ブラケットの底面図である。
【図４】（Ａ）変更例の下ブラケットの正面図である。
（Ｂ）変更例の下ブラケットの側面図である。
（Ｃ）変更例の下ブラケットの底面図である。
【符号の説明】
１・・壁取付具、２・・上ブラケット、３・・下ブラケット、６・・吊下用透孔、８・・切欠き、１１・・上板、１２・・下板、１３・・当接板、２０・・スライド板、２１・・折曲片、２３・・第１ビス挿通孔、２４・・第２ビス挿通孔、３０・・湯沸器、３１・・バックカバー。
【図１】
0004378444.tif 000002
【図２】
0004378444.tif 000003
【図３】
0004378444.tif 000004
【図４】
0004378444.tif 000005